(57)【要約】      （修正有）【課題】遮蔽装置の断熱性能を向上させる装置の提供。【解決手段】互いに対向する一対の遮蔽材１，２を備える遮蔽装置であって、各前記遮蔽材は、ジグザグ状に折り畳み可能とした遮蔽部１ａ，２ａと、対向する前記遮蔽部に向かって突出する突出部１ｄ，２ｄとを有し、一方の前記遮蔽材の前記突出部は、他方の前記遮蔽部の内面における谷折目に位置している。【選択図】図３
2019203337.tif 000002
【特許請求の範囲】
【請求項１】
互いに対向する一対の遮蔽材を備える遮蔽装置であって、
各前記遮蔽材は、ジグザグ状に折り畳み可能とした遮蔽部と、対向する前記遮蔽部に向かって突出する突出部とを有し、
一方の前記遮蔽材の前記突出部は、他方の前記遮蔽部の内面における谷折目に位置している、遮蔽装置。
【請求項２】
請求項１に記載の遮蔽装置であって、
他方の前記遮蔽材の前記突出部は、一方の前記遮蔽部の内面における谷折目に位置している、遮蔽装置。
【請求項３】
請求項１又は請求項２に記載の遮蔽装置であって、
一方の前記遮蔽材の前記突出部は、他方の前記遮蔽部の内面における谷折目に当接し、
他方の前記遮蔽材の前記突出部は、一方の前記遮蔽部の内面における谷折目に当接している、遮蔽装置。
【請求項４】
請求項１〜請求項３の何れか１つに記載の遮蔽装置であって、
各前記遮蔽材の各前記突出部は、各前記遮蔽部の内面における山折目に設けられている、遮蔽装置。
【請求項５】
請求項１〜請求項４の何れか１つに記載の遮蔽装置であって、
昇降コードを更に備え、
前記昇降コードは、一方の前記遮蔽材の前記突出部と他方の前記遮蔽材の前記遮蔽部とに挿通される、遮蔽装置。
【請求項６】
請求項５に記載の遮蔽装置であって、
ピッチ保持コードを備え、
前記ピッチ保持コードは、他方の前記遮蔽材の前記遮蔽部の外面に隣接して設けられ、
前記ピッチ保持コードは、環状の保持部を有し、
前記保持部は、他方の前記遮蔽材の前記遮蔽部に挿通され、
前記昇降コードは、前記保持部に挿通されている、遮蔽装置。
【請求項７】
請求項１〜請求項６の何れか１つに記載の遮蔽装置であって、
一対の前記遮蔽材は、同一構成である部材を反転させて構成される、遮蔽装置。
【請求項８】
互いに対向する第１及び第２遮蔽材を備える遮蔽装置であって、
第１遮蔽材は、ジグザグ状に折り畳み可能とした第１遮蔽部と、第２遮蔽材に向かって突出する突出部とを有し、
第２遮蔽材は、ジグザグ状に折り畳み可能とした第２遮蔽部を有し、
前記突出部は、第２遮蔽部の内面における谷折目に位置している第１突出部を有する、遮蔽装置。
【請求項９】
請求項８に記載の遮蔽装置であって、
前記突出部は、第２遮蔽部の内面における山折目に位置している第２突出部を更に有する、遮蔽装置。
【請求項１０】
挿通工程を備える遮蔽装置の製造方法であって、
前記挿通工程では、一対の遮蔽材に昇降コードを挿通し、
各前記遮蔽材は、ジグザグ状に折り畳み可能とした遮蔽部と、対向する前記遮蔽部に向かって突出する突出部とを有し、
前記昇降コードは、一方の前記遮蔽材の前記突出部が他方の前記遮蔽部の内面における谷折目に位置するように、一対の前記遮蔽材に挿通される、方法。
【請求項１１】
請求項１０に記載の方法であって、
前記昇降コードは、一対の前記遮蔽部を折り畳んだ状態で一対の前記遮蔽材に挿通される、方法。
【請求項１２】
請求項１０又は請求項１１に記載の方法であって、
前記昇降コードは、一方の前記遮蔽材の前記突出部と他方の前記遮蔽材の前記遮蔽部とに挿通される、方法。
【請求項１３】
請求項１２に記載の方法であって、
前記挿通工程では、ピッチ保持コードの保持部を他方の前記遮蔽材の前記遮蔽部に挿通させた後に、前記保持部に前記昇降コードを挿通する、方法。
【発明の詳細な説明】
【技術分野】
【０００１】
本発明は、遮蔽装置に関する。
【背景技術】
【０００２】
従来、遮蔽材と遮蔽材を上下に移動させる昇降コードとを備えている遮蔽装置が各種提案されている（例えば、特許文献１参照）。特許文献１の遮蔽装置において、遮蔽材はジグザグ状に折り畳み可能としたプリーツ生地で構成されている。
【先行技術文献】
【特許文献】
【０００３】
【特許文献１】特開平１０−７７７７３号公報
【発明の概要】
【発明が解決しようとする課題】
【０００４】
特許文献１の遮蔽装置の遮蔽材は例えば日射等を遮ることはできる。ここで、遮蔽装置には、例えば日射を遮る等の機能の他に、窓側と居住側とを断熱する性能（以下、断熱性能と称する）が求められる場合もある。ここで、特許文献１の遮蔽装置において、遮蔽材の窓側の空気と遮蔽材の居住側の空気との間には遮蔽材が介在するに留まる。このため、特許文献１の遮蔽装置において、遮蔽材の窓側の空気と遮蔽材の居住側の空気とは熱交換されやすい。したがって、特許文献１の遮蔽装置の構成では断熱性能を向上させにくい、という課題がある。
【０００５】
本発明はこのような事情に鑑みてなされたものであり、遮蔽装置の断熱性能を向上させることを目的としている。
【課題を解決するための手段】
【０００６】
本発明によれば、互いに対向する一対の遮蔽材を備える遮蔽装置であって、各前記遮蔽材は、ジグザグ状に折り畳み可能とした遮蔽部と、対向する前記遮蔽部に向かって突出する突出部とを有し、一方の前記遮蔽材の前記突出部は、他方の前記遮蔽部の内面における谷折目に位置している。
【０００７】
本発明に係る遮蔽装置によれば、断熱層として機能する断熱空間が遮蔽部及び突出部によって形成され、当該断熱空間では空気の対流が効果的に抑制されるので、断熱性能が向上する。
【０００８】
以下、本発明の種々の実施形態を例示する。以下に示す実施形態は互いに組み合わせ可能である。
好ましくは、他方の前記遮蔽材の前記突出部は、一方の前記遮蔽部の内面における谷折目に位置している。
好ましくは、一方の前記遮蔽材の前記突出部は、他方の前記遮蔽部の内面における谷折目に当接し、他方の前記遮蔽材の前記突出部は、一方の前記遮蔽部の内面における谷折目に当接している。
好ましくは、各前記遮蔽材の各前記突出部は、各前記遮蔽部の内面における山折目に設けられている。
好ましくは、昇降コードを更に備え、前記昇降コードは、一方の前記遮蔽材の前記突出部と他方の前記遮蔽材の前記遮蔽部とに挿通される。
好ましくは、ピッチ保持コードを備え、前記ピッチ保持コードは、他方の前記遮蔽材の前記遮蔽部の外面に隣接して設けられ、前記ピッチ保持コードは、環状の保持部を有し、前記保持部は、他方の前記遮蔽材の前記遮蔽部に挿通され、前記昇降コードは、前記保持部に挿通されている。
好ましくは、一対の前記遮蔽材は、同一構成である部材を反転させて構成される。
好ましくは、互いに対向する第１及び第２遮蔽材を備える遮蔽装置であって、第１遮蔽材は、ジグザグ状に折り畳み可能とした第１遮蔽部と、第２遮蔽材に向かって突出する突出部とを有し、第２遮蔽材は、ジグザグ状に折り畳み可能とした第２遮蔽部を有し、前記突出部は、第２遮蔽部の内面における谷折目に位置している第１突出部を有する。
好ましくは、前記突出部は、第２遮蔽部の内面における山折目に位置している第２突出部を更に有する。
好ましくは、挿通工程を備える遮蔽装置の製造方法であって、前記挿通工程では、一対の遮蔽材に昇降コードを挿通し、各前記遮蔽材は、ジグザグ状に折り畳み可能とした遮蔽部と、対向する前記遮蔽部に向かって突出する突出部とを有し、前記昇降コードは、一方の前記遮蔽材の前記突出部が他方の前記遮蔽部の内面における谷折目に位置するように、一対の前記遮蔽材に挿通される。
好ましくは、前記昇降コードは、一対の前記遮蔽部を折り畳んだ状態で一対の前記遮蔽材に挿通される。
好ましくは、前記昇降コードは、一方の前記遮蔽材の前記突出部と他方の前記遮蔽材の前記遮蔽部とに挿通される。
好ましくは、前記挿通工程では、ピッチ保持コードの保持部を他方の前記遮蔽材の前記遮蔽部に挿通させた後に、前記保持部に前記昇降コードを挿通する。
【図面の簡単な説明】
【０００９】
【図１】実施形態１に係る遮蔽装置１０の正面図である。
【図２】実施形態１に係る遮蔽装置１０の右側面図である。
【図３】昇降コード３を通る垂直断面において、第１遮蔽材１、第２遮蔽材２、昇降コード３及びピッチ保持コード４を示す説明図である。
【図４】第１遮蔽材１と第２遮蔽材２とを対向配置した状態を示す垂直断面図である。
【図５】第１遮蔽材１と第２遮蔽材２とを組み合わせた状態を示す垂直断面図である。
【図６】第１遮蔽材１及び第２遮蔽材２を折り畳んだ状態において、第１遮蔽材１及び第２遮蔽材２にピッチ保持コードを通す孔を形成する様子を示す説明図である。
【図７】図７Ａはピッチ保持コード４の保持部４ｂを第２遮蔽材２の第２遮蔽部２ａに通した状態を示し、図７Ｂは昇降コード３を第１遮蔽材１の第１突出部１dと第２遮蔽材２の第２遮蔽部２ａとに通す様子を示している。
【図８】変形例１に係る垂直断面図であり、図３における垂直断面と同様の断面で切った断面図である。
【図９】変形例２に係る垂直断面図であり、図３における垂直断面と同様の断面で切った断面図である。
【図１０】実施形態２に係る遮蔽装置の第１遮蔽材２１及び第２遮蔽材２２等の垂直断面図であり、図３における垂直断面と同様の断面で切った断面図である。
【発明を実施するための形態】
【００１０】
１．実施形態１
１−１．全体説明
図１及び図２に示す遮蔽装置１０はプリーツ生地等から構成される遮蔽材を有するプリーツスクリーンである。遮蔽装置１０は、ヘッドボックス１１と、第１遮蔽材１と、第２遮蔽材２と、昇降コード３と、ピッチ保持コード４と、ボトムレール１２と、ボールチェーン１３とを備えている。
【００１１】
ヘッドボックス１１はブラケット１１ａ及びプーリー１４等を備えている。ブラケット１１ａは、窓の上枠等といった被取付体に固定される。これにより、遮蔽装置１０は被取付体に固定される。ヘッドボックス１１内には、ボールチェーン１３が掛装されたプーリー１４が設けられている。ヘッドボックス１１内には図示省略の巻取軸等の回転機構が設けられている。第１遮蔽材１及び第２遮蔽材２、は互いに対向するようにヘッドボックス１１に吊下支持されている。第１遮蔽材１は遮蔽装置１０の正面側に位置し、第２遮蔽材２は遮蔽装置１０の背面側に位置している。第１遮蔽材１の下端部及び第２遮蔽材２の下端部にはボトムレール１２が取り付けられている。昇降コード３の一端側はヘッドボックス１１内の巻取軸等の回転機構に取り付けられ、昇降コード３が当該回転機構に巻き取り及び巻き戻し可能になっており、また、昇降コード３の他端側はボトムレール１２に取り付けられている。また、ピッチ保持コード４の一端側はヘッドボックス１１に取り付けられ、ピッチ保持コード４の他端側はボトムレール１２に取り付けられている。
【００１２】
ボールチェーン１３が操作されてプーリー１４が回転すると、ヘッドボックス１１内の回転機構が駆動し、昇降コード３が巻取軸に巻き取られる又は巻取軸から巻き戻される。昇降コード３がヘッドボックス１１の巻取軸に巻き取られると、ボトムレール１２が上昇し、その結果、第１遮蔽材１及び第２遮蔽材２は畳み込まれながら上方に引き上げられる。また、昇降コード３がヘッドボックス１１の巻取軸から巻き戻されると、ボトムレール１２が下降し、その結果、第１遮蔽材１及び第２遮蔽材２は畳み込まれた状態が伸ばされながら下方に引き下げられる。
【００１３】
１−２.断熱性能について
遮蔽装置には、例えば日射を遮る等の機能の他に、断熱性能が求められる場合がある。遮蔽材を１枚しか備えない態様の遮蔽装置において、遮蔽材の窓側の空気と遮蔽材の居住側の空気とは熱交換されやすく、当該態様の遮蔽装置は断熱性能を向上させにくい。ここで、遮蔽装置には、遮蔽装置１０のように、互いに対向する一対の遮蔽材を備えるものもある。このような遮蔽装置は、一対の遮蔽材の間に断熱層として機能する断熱空間が形成される。遮蔽装置は一般的に窓等に配置される。このため、断熱空間の空気の対流が例えば日射によって促進されてしまう場合がある。断熱空間の空気の対流が促進されてしまうと、例えば夏季において遮蔽装置よりも窓側の熱が遮蔽装置よりも居住側へ伝達されやすくなり、居住者の快適性が低下してしまうことが懸念される。或いは、断熱空間の空気の対流が促進されてしまうと、例えば冬季において、遮蔽装置よりも居住側の暖気の熱が遮蔽装置よりも窓側へ伝達されてしまい、居住者の快適性が低下してしまうことも懸念される。そこで、遮蔽装置１０の遮蔽材は、次に説明するように、第１及び第２突出部を備えている。これにより、断熱空間の空気の対流が効果的に抑制され、その結果、遮蔽装置１０の断熱性能がより向上する。ひいては、居住者の快適性の低下も抑制される。
【００１４】
１−３．第１及び第２遮蔽材について
図３〜図５に示すように、第１遮蔽材１は、第１遮蔽部１ａと複数の第１突出部１ｄとを有する。第１遮蔽部１ａはジグザグ状に構成されているので、第１遮蔽部１ａは折り畳み可能となっている。図３に示すように、第１遮蔽部１ａには内面１ｆと外面１ｇとが形成されている。内面１ｆは第２遮蔽材２に向かい合う面であり、外面１ｇは遮蔽装置１０の正面に対応する面である。内面１ｆには複数の第１山折目１ｂと複数の第１谷折目１ｃとが形成されている。第１山折目１ｂは第２遮蔽材２側から見たときに山になっている部分であり、第１谷折目１ｃは第２遮蔽材２側から見たときに谷になっている部分である。実施形態１において第１山折目１ｂ及び第１谷折目１ｃのピッチは一定であるが、一定でなくてもよい。第１突出部１ｄは第１遮蔽部１ａと後述の第２遮蔽部２ａとの間の間隔を確保する機能、すなわちスペーサーとしての機能を有する。また、第１突出部１ｄは断熱空間Ｓｐを区画する機能を有する。第１突出部１ｄは、第１遮蔽材１を構成する生地を溶着又は接着することで構成される。
【００１５】
第２遮蔽材２も、第１遮蔽材１に対応する構成を有している。このため、第１遮蔽材１及び第２遮蔽材２は同一構成である部材（プリーツ生地）を反転させて構成することができるので、遮蔽装置１０の製造コストが抑制される。第２遮蔽材２は、第２遮蔽部２ａと複数の第２突出部２ｄとを有する。第２遮蔽部２ａはジグザグ状に構成されているので、第２遮蔽部２ａは折り畳み可能となっている。第２遮蔽部２ａには内面２ｆと外面２ｇとが形成されている。内面２ｆは第１遮蔽材１に向かい合う面であり、外面２ｇは遮蔽装置１０の背面に対応する面である。内面２ｆには複数の第２山折目２ｂと複数の第２谷折目２ｃとが形成されている。第２山折目２ｂは第１遮蔽材１側から見たときに山になっている部分であり、第２谷折目２ｃは第１遮蔽材１側から見たときに谷になっている部分である。実施形態１において第２山折目２ｂ及び第２谷折目２ｃのピッチは一定であるが、一定でなくてもよい。第２突出部２ｄは、第１遮蔽部１ａと第２遮蔽部２ａとの間の間隔を確保するスペーサーとしての機能と、断熱空間Ｓｐを区画する機能とを有する。第２突出部２ｄは、第２遮蔽材２を構成する生地を溶着又は接着することで構成される。
【００１６】
１−３−１．突出部及び各種コードについて
＜第１突出部１ｄ＞
図３及び図４に示すように、第１突出部１ｄは第１山折目１ｂに設けられている。第１突出部１ｄには昇降コード３が挿通されている。また、第１突出部１ｄは第２谷折目２ｃに位置している。具体的には、第１突出部１ｄは第２谷折目２ｃに前後方向に対向している。つまり、第１突出部１ｄの高さ位置と第２谷折目２ｃの高さ位置とは同じである。第１突出部１ｄは第２谷折目２ｃに前後方向に対向しているので、第１突出部１ｄは水平面に平行になっている。このため、第１遮蔽材１又は第２遮蔽材２に外力等が加わり、第１突出部１ｄと第２遮蔽材２とが押し付けあったとしても、第１突出部１ｄの形状が維持されやすい。仮に第１突出部１ｄが水平面に対して傾斜している場合には、第１突出部１ｄと第２遮蔽材２が押し付けあうと、第１突出部１ｄが撓んでしまい、第１突出部１ｄのスペーサーとしての機能が損なわれる可能性がある。しかし、上述のように第１突出部１ｄは水平面に平行になっているので、第１突出部１ｄの撓みが抑制される。このため、第１突出部１ｄのスペーサーとしての機能が損なわれることが回避される。したがって、第１遮蔽材１は、断熱空間Ｓｐをより確実に確保することができる構成となっている。
【００１７】
また、第１突出部１ｄは凹状の第２谷折目２ｃに入り込むように配置されている。このため、第１突出部１ｄの上下の移動範囲が第２谷折目２ｃによって規制されることになる。したがって、第１遮蔽材１又は第２遮蔽材２に外力等が加わった場合において、第１遮蔽材１及び第２遮蔽材２の変形が抑制され、第１突出部１ｄのスペーサーとしての機能が損なわれることが回避される。
【００１８】
第１突出部１ｄは第１先端部１ｅを有し、第１先端部１ｅは、第２遮蔽部２ａのうち第２谷折目２ｃの部分に当接している。このように、第１先端部１ｅが第２遮蔽部２ａに当接することで、断熱空間Ｓｐがより確実に区画されることになり、断熱空間Ｓｐの空気の対流が効果的に抑制される。また、第１先端部１ｅが第２遮蔽部２ａから離間していると、風等によって第１先端部１ｅが第２遮蔽部２ａに繰り返し当接し、第１遮蔽材１及び第２遮蔽材２が摩耗したり、当接時の異音が発生したりする場合がある。しかし、第１先端部１ｅが第２遮蔽部２ａに当接しているので、第１遮蔽材１及び第２遮蔽材２の摩耗が抑制されるとともに、当接時の異音の発生が抑制される。
【００１９】
＜第２突出部２ｄ＞
第２突出部２ｄも、第１突出部１ｄに対応する構成を有している。なお、第２突出部２ｄには昇降コード３が挿通されておらず、代わりに、第２遮蔽部２ａには昇降コード３が挿通されている。図３及び図４に示すように、第２突出部２ｄは第２山折目２ｂに設けられている。また、第２突出部２ｄは第１谷折目１ｃに位置している。具体的には、第２突出部２ｄは第１谷折目１ｃに前後方向に対向している。つまり、第２突出部２ｄの高さ位置と第１谷折目１ｃの高さ位置とは同じである。第２突出部２ｄは第１谷折目１ｃに前後方向に対向しているので、第２突出部２ｄは水平面に平行になっている。また、第２突出部２ｄは凹状の第１谷折目１ｃに入り込むように配置されている。また、第２突出部２ｄは第２先端部２ｅを有し、第２先端部２ｅは、第１遮蔽部１ａのうち第１谷折目１ｃの部分に当接している。このように、第２突出部２ｄも、第１突出部１ｄに対応する構成を有しているので、第２突出部２ｄも、第１突出部１ｄで説明した作用効果を奏する。
【００２０】
＜昇降コード３＞
昇降コード３は、第１遮蔽材１の第１突出部１ｄと、第２遮蔽材２の第２遮蔽部２ａとに挿通される。つまり、昇降コード３は第１遮蔽部１ａに挿通されておらず、第１突出部１ｄに挿通される。このため、昇降コード３は第１遮蔽部１ａによって隠される。したがって、実施形態１の遮蔽装置１０は意匠性が向上している。
【００２１】
＜ピッチ保持コード４＞
ピッチ保持コード４は、第２遮蔽材２の第２遮蔽部２ａの外面２ｇに隣接して設けられている。ピッチ保持コード４は、コード本体４ａと保持部４ｂとを有する。コード本体４ａは上下方向に延びるように設けられている。保持部４ｂはコード本体４ａに取り付けられた環状部材である。保持部４ｂは、第２遮蔽材２の第２遮蔽部２ａに挿通されている。また、昇降コード３は保持部４ｂに挿通されている。これにより、重力作用によって、第１遮蔽材１及び第２遮蔽材２のピッチが長くなることが抑制される。また、第１遮蔽材１と第２遮蔽材２との間の間隔が広がることが規制される。
【００２２】
１−３−２．その他の形態
なお、実施形態１では、第１突出部１ｄが第２谷折目２ｃに位置し、且つ、第２突出部２ｄが第１谷折目１ｃに位置した形態となっているが、当該形態に限定されるものではない。第１突出部１ｄが第２谷折目２ｃに位置するか、又は、第２突出部２ｄが第１谷折目１ｃに位置する形態であってもよい。
【００２３】
また、実施形態１では、第１突出部１ｄは第１遮蔽材１を構成する生地が溶着等されて構成された形態であったが、当該形態に限定されるものではない。第１突出部１ｄは第１遮蔽材１とは別体の部材で構成してもよい。第２突出部２ｄについても同様である。
【００２４】
また、第１遮蔽材１及び第２遮蔽材２の色は同じであってもよいし、異なっていてもよい。
【００２５】
１−４．製造方法について
＜組み合わせ工程＞
遮蔽装置１０の製造方法は、組み合わせ工程と、孔形成工程と、挿通工程とを備えている。図４及び図５に示すように、組み合わせ工程では、第１遮蔽材１と、第１遮蔽材１を反転させた状態となっている第２遮蔽材２とを組み合わせる。組み合わせ工程が完了した状態において、第１突出部１ｄは第２谷折目２ｃに位置し、第２突出部２ｄは第１谷折目１ｃに位置している。
【００２６】
＜孔形成工程＞
図６に示すように、孔形成工程では、組み合わせ工程を完了した状態の第１遮蔽材１及び第２遮蔽材２を折り畳んだ状態で、矢印Ａｒに示す方向に工具を差し込み、第１突出部１ｄ（図５参照）及び第２遮蔽部２ａに昇降コード３を挿通するための孔を形成する。これにより、孔形成工程は第１遮蔽材１及び第２遮蔽材２を折り畳んだ状態で実施されるので、１度の工具の差し込み動作で複数の孔を形成することができ、その結果、遮蔽装置１０の製造効率が高められる。
【００２７】
＜挿通工程＞
図７Ａの破線の領域Ａに示すように、挿通工程では、保持部４ｂを第２遮蔽部２ａに挿通する。このとき、第１遮蔽材１及び第２遮蔽材２を折り畳んだ状態で保持部４ｂを第２遮蔽部２ａに挿通してもよいし、または、第１遮蔽材１及び第２遮蔽材２を折り畳んだ状態から引き伸ばし、保持部４ｂを第２遮蔽部２ａに挿通してもよい。次に、昇降コード３を、孔形成工程で形成した孔に挿通する。つまり、昇降コード３を、第１突出部１ｄ及び第２遮蔽部２ａに挿通する。昇降コード３を第１突出部１ｄ及び第２遮蔽部２ａに挿通するときにおいて、第１突出部１ｄは第２谷折目２ｃ（図４参照）に位置し、第２突出部２ｄは第１谷折目１ｃ（図４参照）に位置している。また、昇降コード３を第１突出部１ｄ及び第２遮蔽部２ａに挿通するときにおいて、昇降コード３を環状の保持部４ｂにも挿通する。つまり、図７Ｂの破線の領域Ｂを参照すると、上から順番に、昇降コード３は、第２遮蔽部２ａの孔に挿通されて断熱空間Ｓｐ内に入り、第１突出部１ｄの孔に挿通され、保持部４ｂに挿通され、第２遮蔽部２ａの孔に挿通されて断熱空間Ｓｐ外へ出る。このような昇降コード３の挿通動作が複数回繰り返されることで、挿通工程が完了する。ここで、図７Ａでは第１遮蔽材１及び第２遮蔽材２を折り畳んだ状態から引き伸ばした状態を模式的に示しているが、第１遮蔽材１及び第２遮蔽材２を折り畳んだ状態で昇降コード３を第１突出部１ｄと第２遮蔽部２ａと保持部４ｂとに挿通するとよい。これにより、昇降コード３の挿通作業効率が高められ、その結果、遮蔽装置１０の製造効率が高められる。
【００２８】
１−５．実施形態１の作用効果
第１遮蔽材１と第２遮蔽材２との間には断熱空間Ｓｐが形成される。断熱空間Ｓｐでは空気の対流が抑制されるので、遮蔽装置１０の断熱性能が向上する。また、第１遮蔽材１は第１突出部１ｄを有し、第２遮蔽材２は第２突出部２ｄを有するので、第１遮蔽材１と第２遮蔽材２との間の空間は複数の断熱空間Ｓｐに細分化される。このように、断熱空間Ｓｐが細分化されることで、断熱空間Ｓｐにおける空気の対流が効果的に抑制され、遮蔽装置１０の断熱性能が更に向上する。
【００２９】
ここで、断熱空間の形状がハニカム状（６角形状）になっている遮蔽材（以下、ハニカム型遮蔽材と称する）も考えられる。しかし、ハニカム型遮蔽材の製造では、（１）生地の折り曲げ回数等が増える等によって製造に手間がかかる上に、（２）生地の折り曲げ角度等のように要求される各構成の寸法精度も高くなる傾向があり高価な製造設備が必要になる場合がある。しかし、実施形態１に係る遮蔽装置１０の各遮蔽材はジグザグ状であり、ハニカム型遮蔽材と比較して構造的に煩雑になることが回避されている。このため、遮蔽装置１０の製造では、（１）手間が抑制されることに加えて、（２）要求される各構成の寸法精度が過度に高くなることが回避される結果、汎用的な製造設備で製造したとしても品質が低下することが回避される。
【００３０】
１−６．変形例１：非当接の形態
実施形態１では、第１突出部１ｄが第２遮蔽部２ａに当接し、第２突出部２ｄが第１遮蔽部１ａに当接していたが、当該形態に限定されるものではない。図８に示すように、第１突出部１ｄが第２遮蔽部２ａから離間し、第２突出部２ｄが第１遮蔽部１ａから離間していてもよい。変形例１において、第１突出部１ｄ及び第２遮蔽部２ａには昇降コード３が挿通されているので、第１遮蔽材１及び第２遮蔽材２の位置は昇降コード３によって規定される。変形例１でも、実施形態１と同質の作用効果を得ることができる。つまり、変形例１においても、断熱空間Ｓｐの空気の対流が第１突出部１ｄ及び第２突出部２ｄによって抑制されるので、遮蔽装置１０の断熱性能が向上する。
【００３１】
１−７．変形例２：突出部のピッチを変更した形態
実施形態１では、第１突出部１ｄが各第１山折目１ｂに設けられ、第２突出部２ｄが各第２山折目２ｂに設けられていたが、当該形態に限定されるものではない。図９に示すように、第１山折目１ｂには、第１突出部１ｄが設けられているものと、第１突出部１ｄが設けられていないものとが、交互に配置されていてもよい。第２山折目２ｂについても、第２突出部２ｄが設けられているものと、第２突出部２ｄが設けられていないものとが、交互に配置されていてもよい。変形例２でも、実施形態１と同質の作用効果を得ることができる。
【００３２】
２．実施形態２
２−１．構成説明
実施形態２では実施形態１と共通する部分は適宜説明を省略し、相違する部分を中心に説明する。実施形態１は第１及び第２遮蔽材の何れにも突出部が設けられている形態であったが、実施形態２は第１遮蔽材のみに突出部が設けられている形態である。
【００３３】
図１０に示すように、第１遮蔽材２１は、第１遮蔽部２１ａと複数の突出部２１ｄとを有する。第１遮蔽材２１の内面２１ｆには複数の第１山折目２１ｂと複数の第１谷折目２１ｃとが形成され、第２遮蔽材２２の内面２２ｆには複数の第２山折目２２ｂと複数の第２谷折目２２ｃとが形成されている。
【００３４】
突出部２１ｄは第１山折目２１ｂに設けられている。突出部２１ｄは第１突出部２１ｉと第２突出部２１ｈとを有する。第１突出部２１ｉは第２遮蔽材２２の第２谷折目２２ｃに位置し、第２突出部２１ｈは第２遮蔽材２２の第２山折目２２ｂに位置している。
【００３５】
第１突出部２１ｉ及び第２突出部２１ｈは第２遮蔽材２２の第２遮蔽部２２ａから離間している。また、第１遮蔽材２１から第２遮蔽材２２に向かう方向において、第１突出部２１ｉの幅は、第２突出部２１ｈの幅よりも長くなっている。第１突出部２１ｉには昇降コード３が挿通されているが、第２突出部２１ｈには昇降コード３が挿通されていない。第２山折目２２ｂ及び第２谷折目２２ｃのピッチは、第１山折目２１ｂ及び第１谷折目２１ｃのピッチの２倍となっている。なお、実施形態２は、突出部２１ｄが第１突出部２１ｉと第２突出部２１ｈとを有する形態であるが、当該形態に限定されるものではない。突出部２１ｄは、第１突出部２１ｉを有するが、第２突出部２１ｈを有していなくてもよい。
【００３６】
２−２．作用効果
実施形態２においても、複数の断熱空間Ｓｐが上下方向に並ぶように複数形成される。このため、実施形態２も、実施形態１と同質の作用効果を有する。
【符号の説明】
【００３７】
１      ：第１遮蔽材
１ａ    ：第１遮蔽部
１ｂ    ：第１山折目
１ｃ    ：第１谷折目
１ｄ    ：第１突出部
１d    ：第１突出部
１ｅ    ：第１先端部
１ｆ    ：内面
１ｇ    ：外面
２      ：第２遮蔽材
２ａ    ：第２遮蔽部
２ｂ    ：第２山折目
２ｃ    ：第２谷折目
２ｄ    ：第２突出部
２ｅ    ：第２先端部
２ｆ    ：内面
２ｇ    ：外面
３      ：昇降コード
４      ：ピッチ保持コード
４ａ    ：コード本体
４ｂ    ：保持部
１０    ：遮蔽装置
１１    ：ヘッドボックス
１１ａ  ：ブラケット
１２    ：ボトムレール
１３    ：ボールチェーン
１４    ：プーリー
２１    ：第１遮蔽材
２１ａ  ：第１遮蔽部
２１ｂ  ：第１山折目
２１ｃ  ：第１谷折目
２１ｄ  ：突出部
２１ｆ  ：内面
２１ｈ  ：第２突出部
２１ｉ  ：第１突出部
２２    ：第２遮蔽材
２２ａ  ：第２遮蔽部
２２ｂ  ：第２山折目
２２ｃ  ：第２谷折目
２２ｆ  ：内面
Ａｒ    ：矢印
Ａ      ：領域
Ｂ      ：領域
Ｓｐ    ：断熱空間
【図１】
2019203337.tif 000003
【図２】
2019203337.tif 000004
【図３】
2019203337.tif 000005
【図４】
2019203337.tif 000006
【図５】
2019203337.tif 000007
【図６】
2019203337.tif 000008
【図７】
2019203337.tif 000009
【図８】
2019203337.tif 000010
【図９】
2019203337.tif 000011
【図１０】
2019203337.tif 000012